(57)【要約】      （修正有）【課題】筆記具が卓上カレンダー用スタンド内に落ち込まないように保持できるとともに、筆記具が簡単に出し入れできる卓上カレンダー用スタンドを提供する。【解決手段】複数枚のカレンダー用紙を表に保持する正面板と、正面板の上部に連設された背面板と、正面板の下部及び背面板の下部に連設された底面板４とで三角形筒に形成された卓上カレンダー用スタンドにおいて、正面板にはカレンダー用紙を保持する上部に開口を有するポケットでカレンダー用紙ホルダーが形成されるとともに、正面板の上部には筆記具８が抜き差し可能に保持される筆記具保持用孔９が形成され、底面板４には筆記具保持用孔９に差し込まれた筆記具８の下端を受けて移動を規制する切り起こし片１１，１２でストッパー１０が形成されている。【選択図】図２
0003204488.tif 000002
【実用新案登録請求の範囲】
【請求項１】
複数枚のカレンダー用紙を表に保持する正面板と、前記正面板の上部に連設された背面板と、前記正面板の下部及び前記背面板の下部に連設された底面板とで三角筒に形成された卓上カレンダー用スタンドにおいて、
前記正面板には前記カレンダー用紙を保持するカレンダー用紙ホルダーが形成されるとともに、前記正面板の上部には筆記具が抜き差し可能に保持される筆記具保持用孔が形成され、前記底面板には前記筆記具保持用孔に差し込まれた前記筆記具の下端部を受けて移動を規制するストッパーが形成されていることを特徴とする卓上カレンダー用スタンド。
【請求項２】
前記ストッパーが、前記筆記具の下端部の入る間隔をおいて対向した一対の切り起こし片で形成されていることを特徴とする請求項１に記載の卓上カレンダー用スタンド。
【請求項３】
カレンダー用紙ホルダーが、前記正面板の下部に、前記カレンダー用紙を出し入れ可能に保持する上部に開口を有するポケットが形成されていることを特徴とする請求項１又は２に記載の卓上カレンダー用スタンド。
【請求項４】
カレンダー用紙ホルダーが、前記正面板の上部に、前記カレンダー用紙を綴じる綴じ具で形成されていることを特徴とする請求項１又は２に記載の卓上カレンダー用スタンド。
【考案の詳細な説明】
【技術分野】
【０００１】
本考案は、卓上カレンダー用スタンドに関し、特にスタンドに差し込んだ筆記具を安定して保持できる卓上カレンダー用スタンドに関する。
【背景技術】
【０００２】
カレンダーには種々のものが提案されており、そのなかに机やテーブルなどの上に置くスタンド式の卓上カレンダーがある。例えば、図３に示す卓上カレンダーでは、縦断面三角形に組み立てたスタンド１に月日や曜日等の暦が記載されている複数枚のカレンダー用紙５の上辺が、スタンド１の上縁に綴じリングなどの綴じ具１３によって回転可能に綴じ込まれている。カレンダー用紙５を上方へめくって反転させることにより新しいカレンダー用紙５を表示して月日や曜日を見ることができる（特許文献１参照）。
【０００３】
卓上カレンダーの使い方として、予定されている行事やイベントなどを忘れないようにカレンダー用紙の該当する日の空欄に書き込むことが行われている。卓上カレンダーでは、カレンダー用紙に筆記具で書き込みできるようにするため、筆記具を備えた卓上カレンダーが提案されている（特許文献２−４参照）。
【０００４】
前記特許文献２には、カレンダー用紙を綴じる筒状の綴じ具内に鉛筆あるいはボールペンなどの筆記具を差し込んで保持できる卓上カレンダーが記載されている。
【０００５】
また、前記特許文献３には、カレンダー用紙を綴じ具で綴じるバインダー式卓上カレンダーにおいて、スタンド内に筆箱が形成され、筆箱内の筆記具をスタンドの側面から取り出すようにした卓上カレンダーが記載されている。
【０００６】
さらに、前記特許文献４には、カレンダー紙の上縁を掛止する溝状掛止部とカレンダー紙の下縁を掛止する溝状折り曲げ部を備えた傾斜ホルダーの上部に、傾斜ホルダーを傾斜状態で支持する支持板が連設され、傾斜ホルダーには筆記具挿通孔が形成され、支持板には筆記具挿通孔に挿入された筆記具の先端が嵌入する掛止部が設けられた卓上カレンダーが記載されている。
【先行技術文献】
【特許文献】
【０００７】
【特許文献１】特開２００９−２１４４４９号公報
【特許文献２】実用新案登録第３１７２７８９号公報
【特許文献３】特開２０１１−３７２５１号公報
【特許文献４】実用新案登録第３０３０４８９合公報
【考案の概要】
【考案が解決しようとする課題】
【０００８】
前記特許文献２に記載された卓上カレンダーでは、筆記具が筒状の綴じ具内に水平に挿入されているため、一方の手でカレンダーを持ち、他方の手で筆記具を抜き出すため、筆記具を片手で綴り具内からすぐには取り出しにくいという欠点がある。
【０００９】
前記特許文献３の卓上カレンダーでは、筆箱に筆記具が他の文具と一緒に入れられているため、筆記具のある位置によってはスタンドの側面からすぐには取り出しにくいという欠点がある。
【００１０】
前記特許文献４の卓上カレンダーでは、筆記具の先端を嵌入する掛止部は、差し込んだ筆記具の先端を掛止部の嵌入孔へ嵌入させて掛止させなくてはならないので、筆記具挿通孔に差し込んだ筆記具を簡単に掛止部に嵌入させにくく、また、筆記具に触れると筆記具の先端が掛止部から外れて筆記具がスタンド内に落ち込んでしまうという欠点がある。
【００１１】
そこで、本考案は、筆記具が卓上カレンダー用スタンド内に落ち込まないように保持できるとともに、筆記具が簡単に出し入れできる卓上カレンダー用スタンドを提供するものである。
【課題を解決するための手段】
【００１２】
本願請求項1の考案は、複数枚のカレンダー用紙を表に保持する正面板と、前記正面板の上部に連設された背面板と、前記正面板の下部及び前記背面板の下部に連設された底面板とで三角形筒に形成された卓上カレンダー用スタンドにおいて、前記正面板には前記カレンダー用紙を保持するカレンダー用紙ホルダーが形成されるとともに、前記正面板の上部には筆記具が抜き差し可能に保持される筆記具保持用孔が形成され、前記底面板には前記筆記具保持用孔に差し込まれた前記筆記具の下端部を受けて移動を規制するストッパーが形成されていることを特徴とする卓上カレンダー用スタンドである。
【００１３】
本願請求項２の考案は、前記ストッパーが、前記筆記具の下端部の入る間隔をおいて対向した一対の切り起こし片で形成されていることを特徴とする請求項１に記載の卓上カレンダー用スタンドである。
【００１４】
本願請求項３の考案は、カレンダー用紙ホルダーが、前記正面板の下部に、前記カレンダー用紙を出し入れ可能に保持する上部に開口を有するポケットで形成されていることを特徴とする請求項１又は２に記載の卓上カレンダー用スタンドある。
【００１５】
本願請求項４の考案は、カレンダー用紙ホルダーが、前記正面板の上部に、前記カレンダー用紙を綴じる綴じ具で形成されていることを特徴とする請求項１又は２に記載の卓上カレンダー用スタンドある。
【考案の効果】
【００１６】
本考案は、筆記具の下端を受けるストッパーにより筆記具の下端の移動が規制されているので、筆記具の下端が移動してスタンド内に落ち込むことを防ぐことができる。そのため、筆記具が常にほぼ定位置に保持されているので、筆記具を片手でスムーズに取り出すことができる。
【００１７】
本考案は、ストッパーを筆記具の下端部の入る間隔をおいて対向した一対の切り起こし片とすることにより、筆記具の下端の移動を確実に規制することができる。また、切り起こし片は厚紙に切り込みを入れることで容易に形成することができる。
【００１８】
本考案は、カレンダー用紙ホルダーを前記カレンダー用紙が上部から出し入れ可能に保持されるポケットで形成すると、カレンダー用紙の出し入れが簡単にできる。そのため、カレンダー用紙をポケットから取り出し、取り出したカレンダー用紙を机の上などの記入しやすいところに置いて記入することができ、カレンダーを持って不安定な状態で記入しなくて済む。
【００１９】
このように、本考案の卓上カレンダー用スタンドは、カレンダー用紙及び筆記具をスタンドから取り出し、書きやすいところで記入することができ、記入後はカレンダー用紙及び筆記具をスタンドに容易に戻すことができる。
【図面の簡単な説明】
【００２０】
【図１】本考案の卓上カレンダー用スタンドの使用状態の一例を示す斜視図である。
【図２】本考案の卓上カレンダー用スタンドの前記ストッパーを示す斜視図である。
【図３】従来の卓上カレンダーの一例を示す斜視図である。
【考案を実施するための形態】
【００２１】
本考案の実施例について図面を参照しながら説明する。
【実施例】
【００２２】
図１において、本考案の卓上カレンダー用スタンド１は、一枚の厚紙を縦断面が三角形になるように折り曲げ、端を接着して正面板２、背面板３及び底面板４からなる三角形筒を形成する。なお、本実施例では厚紙を用いているが、樹脂シートを用いてもよい。
【００２３】
スタンド１の正面板２の下部には、カレンダー用紙５を保持することができるとともに、カレンダー用紙５が出し入れできるように、正面板２の幅方向にわたり上部が開放された開口を備えたポケットでカレンダー用紙ホルダー６を形成する。
【００２４】
カレンダー用紙ホルダー６には、カレンダー用紙５のほかにメモや請求書などの用紙を差し込むことができるようにしてもよい。背面板３には、筆記可能な白板や年間カレンダーなどを設けることができる。なお、カレンダー用紙ホルダーは、正面板２の上部に、カレンダー用紙５を綴じる綴じ具で形成しても良い。
【００２５】
スタンド１の正面板２の上部には、筆記具８を差し込んで保持するため、筆記具保持用孔９を形成する。筆記具保持用孔９は筆記具８の横断面よりわずかに大きい円形、あるいは楕円形とすることにより筆記具８の保持及び出し入れが容易になる。
【００２６】
図２に示すように、スタンド１の底面板４には、筆記具保持用孔９のほぼ垂直方向に、筆記具保持用孔９に差し込まれた筆記具８の下端部を受けて移動を防止するストッパー１０を形成する。
【００２７】
ストッパー１０は、例えば、底面板４に筆記具の下端部が入る間隔をおいて平行に切り込みを入れて上方に起こして切り起こし片１１，１２を対向して形成する。対向する切り起こし片１１，１２により筆記具保持用孔９に差し込んだ筆記具の下端部の移動を防止し、筆記具８がスタンド内に抜け落ちたりあるいは取り出しにくくなったりするのを防止して定位置に保持し、筆記具８がスムーズに取り出せるようになる。
【００２８】
切り起こし片１１，１２は、スタンドの長手方向、横方向のいずれであっても、筆記具の下端部の移動を規制するストッパーとして機能すればよい。また、本実施例では厚紙で製造することからストッパーを切り込みにより切り起こし片１１，１２で形成しているが、筆記具の下端部の移動を防止できれば、別の手段で形成してもよい。
【００２９】
以上の構成により、カレンダー用紙５に行事あるいは予定を書き込む場合には、カレンダー用紙５をカレンダー用紙ホルダー６から取り出し、書きやすいところに置くとともに、筆記具８を筆記具保持用孔９から抜いてカレンダー用紙５に書き込むことができる。
【００３０】
書き込み後は、カレンダー用紙５をカレンダー用紙ホルダー６に入れるとともに、筆記具８を筆記具保持用孔９に差し込む。以上のとおり、本考案のスタンド１では、カレンダー用紙５及び筆記具８の出し入れ及びカレンダー用紙５への書き込みの動作を簡単に行うことができる。
【符号の説明】
【００３１】
１：卓上カレンダー用スタンド
２：正面板
３：背面板
４：底面板
５： カレンダー用紙
６：カレンダー用紙ホルダー
７：側面
８：筆記具
９：筆記具保持用孔
１０：ストッパー
１１：切り起こし片
１２：切り起こし片
１３：綴じ具
【図１】
0003204488.tif 000003
【図２】
0003204488.tif 000004
【図３】
0003204488.tif 000005